(57)【特許請求の範囲】
【請求項１】
側壁部と、該側壁部から下駄の刃状に突設する一対の連結片と、を有する組立式庭園ユニットをコンクリート部材で形成して一対備え、
前記一対の組立式庭園ユニットの連結片先端を各々当接させて配置し、当接した連結片に跨げて連結具を取り付けて双方の連結片を接続してなり、
接続した該一対の組立式庭園ユニットの底面に底板を取り付け、
箱状をなす空間内を植え込み部としたことを特徴とする組立式庭園。
【請求項２】
請求項１に記載された組立式庭園の上下端面部に各々掛合する係止部あるいは掛合部を形成してなり、
該係止部と掛合部を掛合させて前記組立式庭園を互い違いに積み重ね、立体型庭園としたことを特徴とする組立式立体型庭園。
【請求項３】
請求項１に記載された複数の組立式庭園を長手方向に間隔をおいて直線状に並べ、上部には間隔をあけて隣り合う双方の組立式庭園に跨げて組立式庭園を架設し、
架設した組立式庭園のさらに上部には隣り合う組立式庭園に跨げて組立式庭園を順次架設積み重ね可能としたことを特徴とする請求項２記載の組立式立体型庭園。
【発明の詳細な説明】
【０００１】
【発明の属する技術分野】
本発明は、組立式庭園に係り、特に立体型の組立式庭園に関するものである。
【０００２】
【従来の技術】
近年いわゆる家庭内ガーデニングがブームとなっており、自宅の庭先、駐車場内あるいはマンションのベランダ内等に花壇や庭園を設けて植木や花を植えたり、あるいは野菜を栽培したりして簡易な家庭用庭園あるいは家庭用菜園を形成することが多々みられる。
【０００３】
しかしながら、これら簡易な家庭用庭園あるいは家庭用菜園の形成は単なる従来からある例えばプラスチック製の長方形型をなす入れ物に土を入れ、その中に木や花を植え、あるいはその中で野菜等を栽培する程度にすぎないものであった。
しかし前記プラスチック製の入れ物は永年の使用により破損しやすく、強度的にも脆弱であるため、積み重ねて立体的にすることが出来ず、スペースをとらずに最大限のガーデニングが楽しめる、すなわち立体的な構造にして多くの木や花を植えたり、野菜等を栽培できる簡易な家庭用庭園あるいは家庭用菜園を提供することが出来ず、このような課題を解決した簡易な家庭用庭園あるいは家庭用菜園の提供が要望されていた。
【０００４】
【発明が解決しようとする課題】
本発明はかかる従来の要望に鑑みてなされたものであり、立体的に組み立てて、最小限のスペースで最大限の庭園空間あるいは菜園空間が楽しめる立体型の組立式庭園を提供することを目的とするものである。
【０００５】
【課題を解決するための手段】
本発明による組立式立体型庭園は、
側壁部と、該側壁部から下駄の刃状に突設する一対の連結片と、を有する組立式庭園ユニットをコンクリート部材で形成して一対備え、
前記一対の組立式庭園ユニットの連結片先端を各々当接させて配置し、当接した連結片に跨げて連結具を取り付けて双方の連結片を接続してなり、
接続した該一対の組立式庭園ユニットの底面に底板を取り付け、
箱状をなす空間内を植え込み部としたことを特徴とし、
または、上記組立式庭園の上下端面部に各々掛合する係止部あるいは掛合部を形成してなり、
該係止部と掛合部を掛合させて前記組立式庭園を互い違いに積み重ね、立体型庭園としたことを特徴とし、
または、上記複数の組立式庭園を長手方向に間隔をおいて並べ、上部には間隔をあけて隣り合う双方の組立式庭園に跨げて組立式庭園を架設し、
架設した組立式庭園のさらに上部には隣り合う組立式庭園に跨げて組立式庭園を順次架設積み重ね可能としたことを特徴とするものである。
【０００６】
【発明の実施の形態】
以下、図に基づいて本発明に係る組立式立体型庭園の一実施の態様について説明する。
図１において、符号１は組立式庭園ユニットを示す。
該組立式庭園ユニット１は図１から理解されるように略長方形状の平板をなす側壁部２と、この側壁部２より下駄の刃状に突設する一対の連結片３，３とを有してＧＲＣ等のコンクリート部材で形成されている。
【０００７】
ＧＲＣ等のコンクリート部材で形成すれば、組立式庭園の作製につき軽量でしかも耐久性がある製品としうる。
この組立式庭園ユニット１の作製方法につき説明すると、図５に示す様に略下駄状をなす型枠内空間を有する型枠装置４を用意し、この型枠装置４内にＧＲＣ等のコンクリートを打設し、所定期間養生させて固化させる。
【０００８】
その後、脱型して略下駄状をなした組立式庭園ユニット１を取り出す（図２参照）。
ところで、本発明に示す型枠装置４であれば、連結片３の長さの異なる組立式庭園ユニット１を数種類形成できる。すなわち、図５から理解されるように、型枠装置４における連結片形成部５内に詰め物６を予め挿入しておけば連結片３の長さの短いタイプが何種類も容易に作製できる。また、前記詰め物５を除去すれば、連結片３の長さが長いタイプのものが容易に作製できる。
【０００９】
また、図２に示すように、型枠装置４から取り出した当初は、側壁部２には何らの仕上げもしておらず、いわゆるコンクリート粗面のままであるが、その後図３に示すように各種の仕上げを施し、化粧部１１を形成できる。すなわち、最終製品として販売する際には、表面仕上げをして販売することが好ましいからである。
【００１０】
しかしてこの化粧部１１による表面仕上げの方法についても、何ら限定されるものではなく、塗装仕上げ仕上げで化粧部１１を形成しても構わないし、単体であらかじめ形成した化粧部１１を側壁部２の表面に添着したタイプでも構わないものである。
この化粧部１１の具体例としては、図３に示すように木目調のものにしたり、図６に示すようにレンガ調にしたり、図７に示すように、草木をあしらったものにしたりすることが考えられる。
【００１１】
次いで、前記のように作製した組立式庭園ユニット１を一対用意し、かつそれら組立式庭園ユニット１の一対の連結片３，３を対向させ、対向させた連結片３，３を図示する連結具７で連結する（図１参照）。
ここで、連結具７は断面略Ｈ状をなし、それぞれの凹部８，８に対向する連結片３，３を嵌入し、ボルト等の取り付け具で固定し、連結するのである。
【００１２】
しかし、連結具７の実施例についても図示するものに決して限定されない。
このように組立、固定された組立式庭園ユニット１，１及び底板１２で箱形の植え込み部９を有する組立式庭園１０が形成されるのである。
次に、組み立てた組立式庭園１０における底板１２の固定方法につき述べる。図１から理解されるように、組立式庭園ユニット１の幅方向一端部に係止条１３を形成しておき、組み立てた後、この係止条１３上に底板１２を図4に示すように載置するものとする。このような組み立てであれば、何ら底板１２の固定に固定具を必要としない。
【００１３】
しかし、底板１２の固定方法についても図１，図４に示す実施例に限定されるものではない。
以上において、本発明の使用状態につき説明すると、前記のように組み立てた組立式庭園１０を図６，図７に示すようにまず第１段目を一定の間隔をおいて長手方向に直線状に並べる。
【００１４】
図６，図７では第１段目には３個の組立式庭園１０を敷設して並べた。
続いて、第２段目を第１段目の上に架設する。すなわち、一定の間隔をおいて並べた第１段目の組立式庭園１０，１０上に跨げて第２段目の組立式庭園１０を架設する。
この架設の際には、図６，図７に図示されてはいないが、積み重ねられる組立式庭園１０の積み重なり部、すなわち組立式庭園ユニット１における側壁部２の上下面で長手方向端部側に凸部と凹部を形成しておき、これらを掛合させておけば積み重ね位置がずれることもなく、また積み重ねた組立式庭園１０が崩れることもない。さらに掛合させるだけでずれのない積み上げが出来る。
【００１５】
尚、第２段目の両脇には約半分の長さからなる組立式庭園１０を用意し、配置しておく。
そして、第３段目は第２段目の脇に配置された長さ約半分の組立式庭園１０と第１段目の相隣る組立式庭園１０，１０に跨げて架設した第２段目の組立式庭園１０とに跨げて組立式庭園１０を架設する。
【００１６】
しかして、図６，図７に示すように、第１段目は通常の長さの組立式庭園が３個所定の間隔をあけて直線状に設置され、第２段目には両脇に長さが約半分の組立式庭園１０，１０を配置し、通常の長さの組立式庭園１０，１０を２個跨げて架設してある。
さらに、第３段目には通常の長さの組立式庭園１０・・・を３個跨げて架設するものとする。
【００１７】
このように積み上げた組立式庭園１０には図６，図７に示すように、立体的な植え込み部９が多数設けられる。
すなわち、図６，図７では第１段目には３カ所、第２段目には４カ所、第３段目には３カ所の植え込み部９が形成できる。
そして、これら植え込み部９に植えられた花が咲けば化粧部１１と花及び草木の緑とが調和してすばらしい立体庭園あるいは立体花壇とすることが出来る。
【００１８】
従って、積み上げた後、それぞれの組立式庭園１０内の植え込み部９に花及び草木１４を植え、あるいはその苗を植え成長させることが大切となる。
尚、本発明は３段に積み上げ架設した例を示したが、決して３段積み上げに限定されるものではない。
【００１９】
【発明の効果】
かくして本発明は以上の構成よりなる。
そして、本発明による組立式立体型庭園であれば、立体的に組み立てられて、最小限のスペースで最大限の庭園空間あるいは菜園空間が楽しめる立体型の組立式庭園を提供できる。
【図面の簡単な説明】
【図１】  本発明による組立式庭園の組立状態を示す状態説明図である。
【図２】  本発明による組立式庭園ユニットの構成を説明する斜視図（その１）である。
【図３】  本発明による組立式庭園ユニットの構成を説明する斜視図（その２）である。
【図４】  本発明による組立式庭園の組立状態を示す断面図である。
【図５】  本発明による型枠装置の使用状態を示す使用状態説明図である。
【図６】  本発明による組立式立体型庭園の構成を説明する説明図（その１）である。
【図７】  本発明による組立式立体型庭園の構成を説明する説明図（その２）である。
【符号の説明】
１    組立式庭園ユニット
２    側壁部
３    連結片
４    型枠装置
５    連結片形成部
６    詰め物
７    連結具
８    凹部
９    植え込み部
１０  組立式庭園
１１  化粧部
１２  底板
１３  係止条
１４  花及び草木
【図１】
0003929619.tif 000002
【図２】
0003929619.tif 000003
【図３】
0003929619.tif 000004
【図４】
0003929619.tif 000005
【図５】
0003929619.tif 000006
【図６】
0003929619.tif 000007
【図７】
0003929619.tif 000008